(57)【要約】【課題】軸受部の撓み性を高めることができるとともに、特別の部品を設けることなく回転扉の衝撃荷重による外れを防ぐことができる電子機器を提供する。【解決手段】リーダ／ライタを隠蔽しているカバー６と、該カバー６を覆い、離隔して対向する二つの軸受部７１，７１を有する回転扉７と、軸受部７１，７１の対向する面と反対側に配され、軸受部７１，７１を枢支する二つの支軸３５，３５とを備え、二つの軸受部７１，７１の間に配して軸受部７１，７１夫々の相互に接近する方向への移動を規制する二つの凸部６５，６５をカバー６に設け、衝撃荷重が加わった際、軸受部７１，７１が支軸３５，３５から抜出るのを防ぐようにした。【選択図】図３
2008227289.tif 000002
【特許請求の範囲】
【請求項１】
スロットを有し、該スロットから挿入された記録媒体に対して読み書きをするリーダ／ライタを隠蔽しているカバーと、該カバーを隠蔽し、離隔して対向する二つの軸受部を有する回転扉と、前記軸受部夫々の対向する面と反対側に配され、軸受部夫々を枢支する二つの支軸とを備える電子機器において、前記カバーは、前記軸受部夫々の相互に接近する方向への移動を規制する二つの凸部を前記軸受部夫々の間に有することを特徴とする電子機器。
【請求項２】
前記軸受部夫々は可撓片であり、前記凸部夫々は前記軸受部の対向する一面との当接を可能にされている請求項１記載の電子機器。
【請求項３】
前記凸部夫々の前記軸受部との非対向部は前記回転扉が非隠蔽方向へ回転した際、該回転扉に当接することを可能にされている請求項１又は２記載の電子機器。
【請求項４】
前記軸受部夫々は、対向する面と反対側の面が前記回転扉の回転中心と直交する方向に対して傾斜する傾斜部、及び溝を有し、該溝に、前記支軸が嵌合される凹部を有する請求項１ないし３のいずれか一つに記載の電子機器。
【請求項５】
前記カバーは、前記リーダ／ライタを隠蔽している矩形状板部を有し、前記凸部夫々は前記矩形状板部の一縁より突出している請求項１ないし４のいずれか一つに記載の電子機器。
【請求項６】
前記凸部夫々は前記矩形状板部の一面及び前記一縁の両側に各連なる他縁より突出している請求項５記載の電子機器。
【発明の詳細な説明】
【技術分野】
【０００１】
本発明は、液晶テレビジョン、プラズマテレビジョン、ＳＥＤディスプレイ、ＥＬデイスプレイ等のリーダ／ライタを備える電子機器に関する。
【背景技術】
【０００２】
近年、メモリーカードは、デジタルカメラ、ＩＣレコーダ及び携帯電話等の記録媒体として、またパーソナルコンピュータに接続する汎用のリムーバブルメディアとして広く利用されており、これらの装置のスロットからメモリーカードが装着されるようになっている。
【０００３】
また、ＢＳデジタル放送、ＣＳデジタル放送及び地上デジタル放送が開始され、放送契約者を対象として限定受信システムが採用されており、この限定受信システムにおけるＢ−ＣＡＳ方式の放送番組では、Ｂ−ＣＡＳカードが発行されたテレビジョンのスロットにＢ−ＣＡＳカードを挿入して視聴するようになっている。Ｂ−ＣＡＳカードは接触式のＩＣカードであり、ＩＣチップ内部にＩＤ番号と暗号鍵が格納されている。
【０００４】
これら電子機器は、スロットを有するカバーで、スロットから挿入されるカードの読み書きをするリーダ／ライタが外部から見えないように隠蔽されており、さらにスロットから異物侵入を防止するために、カバー用の回転扉で、カバーを覆って前記スロットを閉じることができるようにしてある。
【０００５】
この種のカバー用の回転扉として次の提案がある。
特許文献１に示す例では、筐体背面側の上端の角部にスロット部（カバー）が配設され、スロット部に形成されているスロットから異物侵入を防ぐために、スロット部が回動自在の回転扉に覆われるようになっている。合成樹脂製の回転扉の両端内側に設けられている一対のアームの先端外側に支軸が突設されており、回転扉のアームがスロット部の両端に設けてある鞘部に挿入されるようになっている。アームが鞘部に挿入された際、支軸が鞘部の内側に突設されているブラケットの孔（軸受部）に嵌合するようにしている。回転扉のアームを鞘部に挿入して内側に弾性変形させつつ支軸をブラケットの孔に挿入嵌合して回転扉を支持する。
【特許文献１】特開２００６−３０３０５３号公報
【発明の開示】
【発明が解決しようとする課題】
【０００６】
ところで、液晶テレビジョン等の薄型テレビジョンにあっては、耐衝撃荷重の検査が行われている。この検査は例えば３ｋｇの衝撃荷重をキャビネットに加えて一部の部品が破損したり、外れたりすることがないかを確認している。
【０００７】
ところが、特許文献１のように回転扉のアームに設けられている支軸を、アームの撓みを利用して筐体（キャビネット）側の軸受部に挿入している電子機器にあっては、前記衝撃荷重による回転扉の外れを防ぐには前記アームの撓み性を低くし、支軸が軸受部から抜け出ないように構成する必要がある。このため、カバー用の回転扉を組込む際、前記アームを撓ませるための力が大きくならざるを得ず、組込作業性が悪いし、また、前記アーム部にウェルドラインが発生している場合、組込作業時にアームが破損し易く、改善策が要望されていた。
【０００８】
本発明は斯かる事情に鑑みてなされたものであり、主たる目的は回転扉の二つの軸受部の相互に接近する方向への移動を規制する二つの凸部をカバーに設けることにより、軸受部夫々の撓み性を高めることができるとともに、特別の部品を設けることなく回転扉の衝撃荷重による外れを防ぐことができる電子機器を提供することにある。
【０００９】
また、他の目的は二つの凸部を、可撓片からなる二つの軸受部の対向する一面と当接することが可能とすることにより、凸部が軸受部と接触していない状態で回転扉を回転させることができ、回転扉の回転抵抗を大きくすることなく、該回転扉の衝撃荷重による外れを防ぐことができる電子機器を提供することにある。
【００１０】
また、他の目的は二つの凸部の軸受部との非対向部を、回転扉が非隠蔽方向へ回転した際、該回転扉に当接することを可能にすることにより、特別の部品を設けることなく回転扉の非隠蔽方向への回転状態を維持することができる電子機器を提供することにある。
【００１１】
また、他の目的は二つの軸受部に溝及び傾斜面を設けることにより、軸受部の撓み性をより一層高めることができ、回転扉の組込作業性をより一層高めることができる電子機器を提供することにある。
【００１２】
また、他の目的は移動規制用の凸部を、略矩形板部の一縁に突設することにより、既存のカバーの組込みにより軸受部の移動を規制することができる電子機器を提供することにある。
【００１３】
また、他の目的は移動規制用の凸部を、略矩形板部の一面及び前記一縁の両側に各連なる他縁に突出させることにより、溝が設けられている軸受部であっても、溝を跨越して軸受部の移動を規制することができる電子機器を提供することにある。
【課題を解決するための手段】
【００１４】
本発明に係る電子機器は、スロットを有し、該スロットから挿入された記録媒体に対して読み書きをするリーダ／ライタを隠蔽しているカバーと、該カバーを隠蔽し、離隔して対向する二つの軸受部を有する回転扉と、前記軸受部夫々の対向する面と反対側に配され、軸受部夫々を枢支する二つの支軸とを備える電子機器において、前記カバーは、前記軸受部夫々の相互に接近する方向への移動を規制する二つの凸部を前記軸受部夫々の間に有することを特徴とする。
【００１５】
この発明にあっては、二つの支軸に枢支されている軸受部夫々が相互に接近する方向へ移動するのを二つの凸部が規制しているため、撓み性の高い軸受部にすることができ、回転扉の組込作業性を高めることができ、しかも、衝撃荷重による回転扉の外れを防ぐことができる。
【００１６】
また、本発明に係る電子機器は、前記軸受部夫々は可撓片であり、前記凸部夫々は前記軸受部の対向する一面との当接を可能にされていることを特徴とする。
【００１７】
この発明にあっては、軸受部夫々を比較的小さい力で撓ませることができるため、回転扉を容易に組込むことができ、また、凸部が軸受部と接触していない状態で回転扉を回転させることができるため、回転扉の回転抵抗を大きくすることなく、該回転扉の衝撃荷重による外れを防ぐことができる。
【００１８】
また、本発明に係る電子機器は、前記凸部夫々の前記軸受部との非対向部は前記回転扉が非隠蔽方向へ回転した際、該回転扉に当接することを可能にされていることを特徴とする。
【００１９】
この発明にあっては、回転扉が非隠蔽方向へ回転された際、該回転扉が凸部の軸受部との非対向部に当接し、回転扉の回転を規制することができるため、特別の回転規制手段を設けることなく回転扉の非隠蔽方向への回転状態を維持することができる。
【００２０】
また、本発明に係る電子機器は、前記軸受部夫々は、対向する面と反対側の面が前記回転扉の回転中心と直交する方向に対して傾斜する傾斜部、及び溝を有し、該溝に、前記支軸が嵌合される凹部を有することを特徴とする。
【００２１】
この発明にあっては、溝により軸受部が割られており、軸受部の撓み性を高めてあるため、軸受部を比較的小さい力で撓ませることができる。しかも、回転扉を組込む際、軸受部の傾斜部を支軸の軸端に接触させつつ軸受部を撓ませることができるため、回転扉の組込作業性をより一層高めることができる。
【００２２】
また、本発明に係る電子機器は、前記カバーは、前記リーダ／ライタを隠蔽している矩形状板部を有し、前記凸部夫々は前記矩形状板部の一縁より突出していることを特徴とする。
【００２３】
この発明にあっては、矩形状板部の一縁より突出する凸部を有するため、部品点数の増加がなく、しかもカバーの組込により凸部を配することができ、凸部を特別に組込む必要がないため、軸受部の移動規制を簡易に行うことができる。
【００２４】
また、本発明に係る電子機器は、前記凸部夫々は前記矩形状板部の一面及び前記一縁の両側に各連なる他縁より突出していることを特徴とする。
【００２５】
この発明にあっては、矩形状板部の一面より突出しているため、溝が設けられている軸受部であっても、溝を跨越して凸部に当接させることができ、衝撃荷重の大きさに関係なく軸受部の接近方向への移動を規制することができる。また、矩形状板部の両他縁より突出しているため、既存のカバーの一部を変えるだけで軸受部の接近方向への移動を規制することができる。
【発明の効果】
【００２６】
以上詳述したように本発明によれば、軸受部の撓み性を高めて回転扉の組込作業性を高めることができ、しかも、特別の部品を設けることなく回転扉の衝撃荷重による外れを防ぐことができる。
【００２７】
また、本発明によれば、凸部が軸受部と接触していない状態で回転扉を回転させることができ、回転扉の回転抵抗を大きくすることなく、該回転扉の衝撃荷重による外れを防ぐことができる。
【００２８】
また、本発明によれば、特別の部品を設けることなく回転扉の非隠蔽方向への回転状態を維持することができる。
【００２９】
また、本発明によれば、溝により軸受部の撓み性をより一層高めることができ、回転扉の組込作業性をより一層高めることができる。
【００３０】
また、本発明によれば、既存のカバーを組込むことにより、軸受部の移動を規制することができ、軸受部の移動規制を簡易に行うことができる。
【００３１】
また、本発明によれば、溝が設けられている軸受部であっても、溝を跨越して軸受部の移動を規制することができ、衝撃荷重の大きさに関係なく回転扉の外れを防ぐことができる。
【発明を実施するための最良の形態】
【００３２】
以下本発明をその実施の形態を示す図面に基づいて詳述する。図１は本発明に係る電子機器の構成を示す縦断側面図、図２は電子機器の構成を示す背面側の模式的分割斜視図、図３はカバー及び回転扉部分の構成を示す斜視図である。
【００３３】
図示した電子機器はテレビ画像を表示する表示面１ａを前側に有し、略直方体をなす表示部１と、該表示部１の周縁部を被覆する前側のキャビネット２と、表示部１の後側を被覆する後側のキャビネット３と、表示部１の後面に柱体を介して取付けられている基板４と、該基板４に実装され、Ｂ−ＣＡＳカードのデータを読み書きする接触型のリーダ／ライタ５と、リーダ／ライタ５の上側を隠蔽しているカバー６と、該カバー６を隠蔽している回転扉７とを備える液晶テレビジョンである。
【００３４】
表示部１は、前側に表示面１ａを有し略直方体をなすパネルと、該パネルの後側に配されている拡散板等の光学シートと、該光学シートの後側に配置されている複数のランプ及び該ランプを支持するシャーシ１１を有するバックライト部とを備え、前記シャーシ１１の後面の上側に、該後面と後方へ離隔する基板４が複数の支柱１２により取付けられている。
【００３５】
後側のキャビネット３は、蓋板部３１及び該蓋板３１の周縁から前方へ屈曲する枠部３２を有する深皿形をなし、蓋板部３１及び枠部３２の上部で回転扉７に対応する位置に、回転扉７に対応する矩形の開放孔３３が設けられており、該開放孔３３が回転扉７により閉塞されている。開放孔３３の両側部には図４に示すように横方向に対向する屈曲片３４，３４が一体に成形されており、該屈曲片３４，３４の対向する一面に、横方向に対向する支軸３５，３５が一体に突設され、該支軸３５，３５に回転扉７が枢支されている。支軸３５，３５は比較的短い長さの円柱形をなし、開放孔３３内に配されている。また、開放孔３３の下部には二つの螺子筒３６が横方向に離隔して一体に突設されている。
【００３６】
図４は回転扉の枢支部の構成を示す拡大断面図、図５は図４のＶ−Ｖ線の拡大断面図、図６は回転扉を非隠蔽方向へ回転した状態を示す拡大断面図、図７は回転扉の構成を示す裏面側の斜視図である。
【００３７】
回転扉７は平面視略矩形をなす板部の後部が下向きに屈曲しており、後部の両側部に、可撓性を有し、横方向に対向する板状の軸受部７１，７１が突設されており、前部の両側部に、開放孔３３の前縁部に係止される係止部７２，７２が設けられている。また、回転扉７は合成樹脂材を成形してなる。
【００３８】
軸受部７１，７１は板部の後縁近傍位置に開放され、前方へ窪む溝７１ａ，７１ａが設けられ、可撓性を高めてあり、各溝７１ａ，７１ａの途中に、支軸３５，３５が嵌合される凹部７１ｂ，７１ｂが設けられている。溝７１ａ，７１ａは支軸３５，３５の直径より狭い幅を有し、凹部７１ｂ，７１ｂに支軸３５，３５が嵌合された際、支軸３５，３５が溝７１ａ，７１ａから抜け出ないように構成されている。凹部７１ｂ，７１ｂは支軸３５，３５の周面に沿う湾曲面であり、回転扉７を円滑に回転させ得るようになしてある。また、軸受部７１，７１の溝７１ａ，７１ａより一方側で、屈曲片３４，３４と対向する面、換言すると互いに対向する面と反対側の面には回転扉７の回転中心と直交する方向に対して傾斜する傾斜面７１ｃ，７１ｃが設けられている。
【００３９】
カバー６は、平面視略矩形をなしており、スロット６１ａを有し、リーダ／ライタ５の上側を隠蔽する矩形状板部６１と、該矩形状板部６１の前端から上方へ立上がる立上片６２と、矩形状板部６１の前後方向中央の両側に垂下され、基板４の両側に配される二つの位置決め片６３，６３と、矩形状板部６１の後側に垂下されている二つの取付片６４，６４と、矩形状板部６１の後部及び両側部に突設されている二つの凸部６５，６５とを有し、一体成形されている。矩形状板部６１のスロット６１ａと離隔した位置にはＢ−ＣＡＳカード取り出し用のイジェクトボタン６６が設けられている。また、取付片６４，６４には螺子筒３６，３６に対応する貫通孔６４ａ，６４ａが開設されており、該貫通孔６４ａ，６４ａから螺子筒３６，３６に緊締されている雄螺子８によりカバー６をキャビネット３に固定してある。
【００４０】
図８はカバーの凸部の構成を示すもので、(a) は斜視図、(b) は断面図、(c) は平面図である。凸部６５，６５は、軸受部７１，７１の間に配され、該軸受部７１，７１の相互に接近する方向への移動を規制するもので、矩形状板部６１の後縁より後方へ突出し、矩形状板部６１の両側縁より横方向へ突出し、且つ矩形状板部６１の上面より上方へ突出する略直方体をなし、軸受部７１，７１の対向する一面と若干離隔して対向しており、また、回転扉７が非隠蔽方向へ回転された際、図６に示すように回転扉７の後端部が凸部６５，６５の下面部に当接し、回転扉７の回転を規制するようになしてある。
【００４１】
リーダ／ライタ５は、上面にカード挿入口が開設されており、Ｂ−ＣＡＳカードがスロット６１ａに挿入されたとき、Ｂ−ＣＡＳカードの電極端子がリーダ／ライタ５のカード挿入口に挿入されるようになっている。また、Ｂ−ＣＡＳカードは、スロット６１ａに隣接して設けられているイジェクトボタン６６を押すことによって取り出せるようにしてある。
【００４２】
以上のように構成された液晶テレビジョンは、後側のキャビネット３が組込まれていない状態で、カバー６及び回転扉７がキャビネット３に組込まれる。この組込みは、回転扉７の二つの軸受部７１，７１を二つの支軸３５，３５に枢支した後、カバー６の取付片６４，６４がキャビネット３の螺子筒３６，３６に取付けられる。
【００４３】
回転扉７の可撓性を有する軸受部７１，７１は、溝７１ａ，７１ａを有し、該溝７１ａ，７１ａに嵌合用の凹部７１ｂ，７１ｂが設けられており、また、軸受部７１，７１の溝７１ａ，７１ａより一方側には傾斜面７１ｃ，７１ｃが設けられているため、回転扉７の軸受部７１，７１が支軸３５，３５に枢支される際、軸受部７１，７１の傾斜面７１ｃ，７１ｃを支軸３５，３５の軸端に接触させた状態で回転扉７を支軸３５，３５の径方向へ押圧することにより、傾斜面７１ｃ，７１ｃの軸端との接触位置が変わりつつ軸受部７１，７１が接近方向へ撓み凹部７１ｂ，７１ｂに支軸３５，３５が嵌り込む。このように溝７１ａ，７１ａ及び傾斜面７１ｃ，７１ｃを有するため、比較的小さい力で軸受部７１，７１を撓ませることができ、軸受部７１，７１を支軸３５，３５に容易に枢支することができる。
【００４４】
また、カバー６は両側に垂設されている取付片６４，６４を螺子筒３６，３６の先端に当接させ、取付片６４，６４の貫通孔６４ａ，６４ａから螺子筒３６，３６に雄螺子８を緊締することによりキャビネット３に取付けることができる。この際、カバー６の後側に突設されている凸部６５，６５が軸受部７１，７１の間に配置され、該凸部６５，６５が軸受部７１，７１の対向する一面と僅少の間隔で対向し、軸受部７１，７１の接近方向への撓み（移動）を規制する。
【００４５】
回転扉７及びカバー６が取付けられたキャビネット３は、表示部１の後方から表示部１に組込まれる。この際、カバー６の両側に垂設されている位置決め片６３，６３が基板４の両側に配され、スロット６１ａのリーダ／ライタ５に対する位置を決めることができる。
【００４６】
以上のように組立てられた液晶テレビジョンは、回転扉７の軸受部７１，７１間に、撓み規制用の二つの凸部６５，６５を有するカバー６の凸部６５，６５が配されているため、耐衝撃荷重検査等により液晶テレビジョンに衝撃荷重が加わった際、該衝撃荷重により軸受部７１，７１が接近方向へ撓むのを規制することができ、軸受部７１，７１が支軸３５，３５から抜出るのを防ぐことができる。因って、回転扉７の組込作業性を高めることができ、しかも、衝撃荷重により回転扉７が外れるのを防ぐことができる液晶テレビジョンを構成することができる。
【００４７】
尚、本発明に係る電子機器は液晶テレビジョンである他、プラズマテレビ、ＳＥＤディスプレイ、ＥＬディスプレイ、デジタルカメラ、ＩＣレコーダ等の電子機器であってもよい。
また、記録媒体はＢ−ＣＡＳカードである他、メモリーカード、ＩＣカードであってもよいし、また、カードに限らず、ＦＤ、ＭＯ、ＭＤ、カセット等であってもよい。
【図面の簡単な説明】
【００４８】
【図１】本発明に係る電子機器の構成を示す縦断側面図である。
【図２】本発明に係る電子機器の構成を示す背面側の模式的分割斜視図である。
【図３】本発明に係る電子機器のカバー及び回転扉部分の構成を示す斜視図である。
【図４】本発明に係る電子機器の回転扉の枢支部の構成を示す拡大断面図である。
【図５】図４のＶ−Ｖ線の拡大断面図である。
【図６】回転扉を非隠蔽方向へ回転した状態を示す拡大断面図である。
【図７】回転扉の構成を示す裏面側の斜視図である。
【図８】カバーの凸部の構成を示すもので、(a) は斜視図、(b) は断面図、(c) は平面図である。
【符号の説明】
【００４９】
３５  支軸
５    リーダ／ライタ
６    カバー
６１  矩形状板部
６１ａ  スロット
６５  凸部
７    回転扉
７１  軸受部（可撓片）
７１ａ  溝
７１ｂ  凹部
７１ｃ  傾斜面（傾斜部）
【図１】
2008227289.tif 000003
【図２】
2008227289.tif 000004
【図３】
2008227289.tif 000005
【図４】
2008227289.tif 000006
【図５】
2008227289.tif 000007
【図６】
2008227289.tif 000008
【図７】
2008227289.tif 000009
【図８】
2008227289.tif 000010